(57)【要約】【課題】  光学情報の読取向きに関係なく、簡易な構成で結像レンズの焦点距離を変更することを可能とする。【解決手段】  情報コード読取装置は、読取口２４が開口したケース１２と、情報コードに光を照射する照明部と、ケース内に設けられ、情報コードから読取口２４を通過してケース内に導入される反射光を透過する結像レンズ１４と、ケース内に設けられ、結像レンズ１４を透過した光を受光する受光センサ１６とを備えており、読取口２４が当該読取口２４から結像レンズ１４方向へ押圧されていない第１状態では、結像レンズ１４は、受光センサ１６との間の距離が第１距離である近接位置に配置され、読取口２４が読取口２４から結像レンズ１４方向へ押圧されている第２状態では、結像レンズ１４は、受光センサ１６との間の距離が第１距離よりも遠い第２距離である離間位置に配置される。【選択図】  図４
2016177646.tif 000002
【特許請求の範囲】
【請求項１】
情報コード読取装置であって、
読取口部が開口したケースと、
情報コードに光を照射する照明部と、
前記ケース内に設けられ、前記情報コードから前記読取口部を通過して前記ケース内に導入される反射光を透過する結像レンズと、
前記ケース内に設けられ、前記結像レンズを透過した光を受光するセンサと、
を備えており、
前記読取口部が前記読取口部から前記結像レンズ方向へ押圧されていない第１状態では、前記結像レンズは、前記センサとの間の距離が第１距離である近接位置に配置され、
前記読取口部が前記読取口部から前記結像レンズ方向へ押圧されている第２状態では、前記結像レンズは、前記センサとの間の距離が前記第１距離よりも遠い第２距離である離間位置に配置される、
情報コード読取装置。
【請求項２】
前記ケースは、
前記結像レンズと前記センサを収容する第１部分と、
前記読取口部を備える第２部分と、を備えており、
前記第２部分は、弾性体を介して前記第１部分に対して取付けられており、前記弾性体が変形することで、前記第１部分から離間する第１位置と前記第１部分に近接する第２位置とに移動可能となっており、
前記情報コード読取装置は、さらに、
前記第１部分内に設けられており、前記センサを保持しているセンサホルダと、
前記第１部分内に設けられており、前記結像レンズを保持しており、前記センサホルダに対して、前記結像レンズと前記センサとを結ぶ光軸方向に移動可能に取り付けられている、レンズホルダと、
前記レンズホルダを、前記センサホルダに対して第３位置となる位置に保持されるように付勢する付勢部材と、
前記レンズホルダに設けられている第１磁石と、
前記第２部分に設けられ、前記第１磁石とは異なる極性を有する第２磁石と、
を備えており、
前記第１状態では、
前記第２部分は、前記第１部分から離間する前記第１位置にあり、
前記第１磁石は、前記第２磁石と吸着しておらず、
前記レンズホルダは、前記第３位置に保持されており、
前記結像レンズが前記近接位置に配置されており、
前記第２状態では、
前記読取口部が前記結像レンズ方向へ押圧されることで前記弾性体が圧縮されて、前記第２部分が前記第１部分に近接する第２位置にあり、
前記第１磁石は、前記第１磁石と前記第２磁石の間に作用する磁力によって、前記第２磁石に吸着しており、
前記第１磁石と前記第２磁石の間に作用する磁力によって、前記付勢部材の付勢力に抗して前記レンズホルダが前記センサホルダに対して第４位置となる位置に保持されて、前記結像レンズが前記離間位置に配置され、
前記第２状態から前記読取口部を前記結像レンズ方向へ押圧する力を除去すると、前記弾性体の弾性力及び前記付勢手段の付勢力によって、前記第１磁石と前記第２磁石が離間して、前記第１状態に移行する、
請求項１に記載の情報コード読取装置。
【請求項３】
前記レンズホルダは、第１ストッパをさらに有しており、
前記センサホルダは、第２ストッパをさらに有しており、
前記結像レンズが前記離間位置に移動したときに、前記第１ストッパと前記第２ストッパとが当接することで、前記結像レンズが前記離間位置より前記読取口部方向へ移動することを規制する、
請求項２に記載の情報コード読取装置。
【請求項４】
前記読取口部は、前記結像レンズと前記センサとを結ぶ光軸方向に垂直な面に対して傾斜している、
請求項１〜３のいずれか一項に記載の情報コード読取装置。
【請求項５】
前記照明部は、
前記第１状態と、前記第２状態とで、照射する光の発光量を変化させ、
前記発光量は、前記第１状態より、前記第２状態の方が多い、
請求項１〜４のいずれか一項に記載の情報コード読取装置。
【発明の詳細な説明】
【技術分野】
【０００１】
本明細書に開示の技術は、情報コード読取装置に関する。
【背景技術】
【０００２】
特許文献１に開示の光学情報読取装置は、結像レンズを保持するレンズホルダと、レンズホルダを移動可能に支持するレンズホルダ支持部材を有している。ホルダがレンズホルダ支持部材に対して移動すると、結像レンズは、光学センサに近接する近接位置と、光学センサから離間する離間位置とに移動することができる。これにより、結像レンズの焦点距離が調整可能となっている。
【先行技術文献】
【特許文献】
【０００３】
【特許文献１】特開２０１０−９７３１５号公報
【発明の概要】
【発明が解決しようとする課題】
【０００４】
特許文献１に開示の光学情報読取装置では、レンズホルダは、その自重によりレンズホルダ支持部材内を移動する。すなわち、レンズホルダ支持部材の向きによっては、レンズホルダの位置を近接位置と離間位置とに切り換えることができず、光学情報の読取向きが制限される。
【０００５】
本明細書は、光学情報の読取向きに関係なく、簡易な構成で結像レンズの焦点距離を変更することが可能となる情報コード読取装置を開示する。
【課題を解決するための手段】
【０００６】
本明細書に開示する情報コード読取装置は、読取口部が開口したケースと、情報コードに光を照射する照明部とを有している。ケース内には、情報コードから読取口部を通過してケース内に導入される反射光を透過する結像レンズと、結像レンズを透過した光を受光するセンサとを備えている。また、読取口部が当該読取口部から結像レンズ方向へ押圧されていない第１状態では、結像レンズは、センサとの間の距離が第１距離である近接位置に配置され、読取口部が当該読取口部から結像レンズ方向へ押圧されている第２状態では、結像レンズは、センサとの間の距離が第１距離よりも遠い第２距離である離間位置に配置される。
【０００７】
上記の情報コード読取装置によると、読取口部に押圧力を加えるか否かによって焦点距離を変更できる。このため、情報コードの読取向きが制限されることがなく、ユーザの利便性の向上を図ることが可能となる。
【図面の簡単な説明】
【０００８】
【図１】本実施例の情報コード読取装置の構成を模式的に示す側面図。
【図２】図１のＩＩ−ＩＩ線断面図。
【図３】本実施例の制御系の構成を示すブロック図。
【図４】本実施例の情報コード読取装置の第１状態を説明するための図。
【図５】本実施例の情報コード読取装置の第２状態を説明するための図。
【図６】本実施例の情報コード読取装置の第２状態から第１状態へ復帰させるときの動作を説明するための図。
【図７】実施例２の第１状態を説明するための図。
【図８】実施例２の第２状態を説明するための図。
【発明を実施するための形態】
【０００９】
以下に説明する実施例の主要な特徴を列記しておく。なお、以下に示す技術要素は、それぞれ独立した技術要素であって、単独であるいは各種の組み合わせによって技術的有用性を発揮するものであり、出願時請求項記載の組み合わせに限定されるものではない。
【００１０】
（特徴１）  本明細書に開示する情報コード読取装置では、ケースは、結像レンズとセンサを収容する第１部分と、読取口部を備える第２部分とを備えていてもよい。そして、第２部分は、弾性体を介して第１部分に対して取付けられていてもよい。このような構成によると、第２部分は、弾性体が変形することで、第１部分から離間する第１位置と第１部分に近接する第２位置とに移動することができる。また、第１部分内には、センサを保持しているセンサホルダと、結像レンズを保持しており、センサホルダに対して、結像レンズとセンサとを結ぶ光軸方向に移動可能に取り付けられている、レンズホルダとを備えていてもよい。また、情報コード読取装置は、レンズホルダをセンサホルダに近接する第３位置に保持されるように付勢する付勢部材と、レンズホルダに設けられている第１磁石と、第２部分に設けられ、第１磁石とは異なる極性を有する第２磁石とを備えていてもよい。このような構成によると、第１状態では、第２部分は、第１部分から離間する第１位置にあり、第１磁石は、第２磁石と吸着しておらず、レンズホルダは、第３位置に保持される。したがって、結像レンズを当該結像レンズの焦点距離が長くなる近接位置に配置することができる。また、第２状態では、読取口部が結像レンズ方向へ押圧されることで弾性体が圧縮されて、第２部分が第１部分に近接する第２位置にあり、第１磁石は、当該第１磁石と第２磁石の間に作用する磁力によって、第２磁石に吸着しており、第１磁石と第２磁石の間に作用する磁力によって、付勢部材の付勢力に抗してレンズホルダがセンサホルダに近接する位置に保持される。したがって、結像レンズを当該結像レンズの焦点距離が短くなる離間位置に配置することができる。また、第２状態から読取口部を結像レンズ方向へ押圧する力を除去すると、弾性体の弾性力及び付勢手段の付勢力によって、第１磁石と第２磁石が離間して、第１状態に移行することができる。
【００１１】
（特徴２）  本明細書に開示する情報コード読取装置では、センサホルダは、第１ストッパをさらに有しており、レンズホルダは、第２ストッパをさらに有していてもよい。このような構成によると、結像レンズが離間位置に移動したときに、第１ストッパと第２ストッパとが当接することで、結像レンズが離間位置より読取口部方向へ移動することを規制することができる。
【００１２】
（特徴３）  本明細書に開示する情報コード読取装置では、読取口部は、結像レンズとセンサとを結ぶ光軸方向に垂直な面に対して傾斜していてもよい。このような構成によると、情報コード読取装置を、ペンを持つように把持して、読取口部を情報コードに押し当てたときに、読取口部が均等に押圧されるため、第２部分を結像レンズとセンサとを結ぶ光軸に平行な方向に移動させることができる。
【００１３】
（特徴４）  本明細書に開示する情報コード読取装置では、照明部は、第１状態と第２状態とで、照射する光の発光量を変化させ、その発光量は、第１状態より第２状態の方が多くてもよい。このような構成によると、周囲からの光源を十分に得られない第２状態においても、情報コード読取のための十分な照度を確保することができる。
【実施例１】
【００１４】
以下、実施例１の情報コード読取装置１０について説明する。情報コード読取装置１０は、バーコード、２次元コード等の情報コードを読取可能な装置である。図１及び図２に示すように、情報コード読取装置１０は、ケース１２と、結像レンズ１４と、受光センサ１６と、レンズホルダ１８と、センサホルダ２０と、制御装置７０とを備えている。情報コード読取装置１０は、図１に図示はしていないが、図３に示すように、スイッチ４４と、検知部４６と、照明部４８とを備えている。
【００１５】
ケース１２は、情報コード読取装置１０の本体を構成する部品である。ケース１２は、第１部分１２ａと、第２部分１２ｂとを有している。第１部分１２ａは、その内部に、結像レンズ１４と、受光センサ１６と、レンズホルダ１８と、センサホルダ２０と、照明部４８と、制御装置７０を収容している。また、第１部分１２ａには、情報コード読取装置１０の使用時に、ユーザがケース１２を把持する把持部が設けられ、その把持部にはユーザにより操作されるスイッチ４４が設けられている。
【００１６】
第２部分１２ｂは、弾性体３０を介して第１部分１２ａの一端に対して移動可能に取付けられている。弾性体３０は、弾性変形可能な材料（例えば、ゴム）により形成されている。弾性体３０が変形することで、第２部分１２ｂは、第１部分１２ａに近接する位置（第２位置（図５に示す位置））と、第１部分１２ａから離間する位置（第１位置（図４に示す位置））に移動する。すなわち、弾性体３０に圧縮力が作用すると、第２部分１２ｂは第１部分１２ａに近接する第２位置に移動する。一方、弾性体３０に作用する圧縮力を除去すると、弾性体３０の復元力によって、第２部分１２ｂは第１部分１２ａから離間する第１位置に移動する。第２部分１２ｂは、第１部分１２ａへの取付側となる一端には透明板２６が設けられており、その他端側には読取口２４を備えている。透明板２６には、第２磁石３２ｂが配設されている。第２磁石３２ｂは、光軸から外れた位置に配置されており、レンズホルダ１８側に向かって突出している。読取口２４は、受光センサ１６に入射する入射光を導入可能な開口部である。読取口２４は、結像レンズ１４と受光センサ１６とを結ぶ光軸方向に垂直な面に対して傾斜している。
【００１７】
スイッチ４４は、制御装置７０と電気的に接続されている。スイッチ４４は、ユーザにより操作されることで、制御装置７０へ信号を入力する。制御装置７０は、スイッチ４４からの入力信号に基づいて、照明部４８の動作を制御する。具体的には、スイッチ４４が操作されると、制御装置７０は、照明部４８をオンする。
【００１８】
照明部４８は、ケース１２の第１部分１２ａ内に設けられている。照明部４８は、制御装置７０と電気的に接続されている。制御装置７０によって照明部４８がオンすると、照明部４８からの光が透明板２６を介して読取対象の情報コード５０に照射される。
【００１９】
検知部４６は、制御装置７０と電気的に接続されており、レンズホルダ１８の位置を検知する。後述するように、レンズホルダ１８は、ケース１２に対して光軸方向に移動可能に取付けられている。検知部４６は、ケース１２に対してレンズホルダ１８が予め定められた位置（後述する離間位置）に移動すると、制御装置７０へ検知信号を入力する。制御装置７０は、検知部４６からの入力信号に基づいて、照明部４８の動作を制御する。具体的には、制御装置７０は、スイッチ４４が操作されている状態で、検知部４６から検知信号が入力されると、検知部４６からの検知信号が入力されない状態と比較して、照明部４８から照射される光の発光量を増加させる。検知部４６としては、例えば、近接センサ、圧電センサ等を用いることができる。
【００２０】
結像レンズ１４は、情報コード５０からの反射像を受光センサ１６の受光面に結像させる。すなわち、照明部４８から照射された光は情報コード５０に照射され、その一部が情報コード５０から反射される。情報コード５０からの反射光は、結像レンズ１４を透過すると共に、結像レンズ１４により受光センサ１６上に結像される。結像レンズ１４は、第１部分１２ａ内に設けられたレンズホルダ１８によって支持されている。
【００２１】
受光センサ１６は、情報コード５０からの反射光を検知するセンサであって、例えば、ＣＭＯＳイメージセンサやＣＣＤイメージセンサ等のような、半導体を用いた固体撮像素子が用いられる。受光センサ１６は、第１部分１２ａ内に設けられたセンサホルダ２０によって保持されている。受光センサ１６は制御装置７０と電気的に接続されている（図３参照）。
【００２２】
センサホルダ２０は、ケース１２の第１部分１２ａ内に収容されており、第１部分１２ａの内壁面に固定されている。センサホルダ２０の内部には受光センサ１６が収容されている。センサホルダ２０の内壁面には、第２ストッパ４２が形成されている。第２ストッパ４２は、センサホルダ２０の内壁面から光軸方向に突出している。センサホルダ２０に対しては、レンズホルダ１８が取付けられている。
【００２３】
レンズホルダ１８は、センサホルダ２０に対して、結像レンズ１４と受光センサ１６とを結ぶ光軸方向に移動可能に取り付けられている。具体的には、レンズホルダ１８は、結像レンズ１４と受光センサ１６とが近接する第３位置（図４に示す位置（第２状態））と、結像レンズ１４と受光センサ１６とが離間する第４位置（図５に示す位置（第１状態））と、に切換え可能となっている。レンズホルダ１８が第３位置に位置すると、結像レンズ１４と受光センサ１６の間の距離はｌ１となる。一方、レンズホルダ１８が第４位置に位置すると、結像レンズ１４と受光センサ１６の間の距離はｌ２（＞ｌ１）となる。レンズホルダ１８とセンサホルダ２０との間には、付勢部材３６が設けられている。付勢部材３６は、レンズホルダ１８を第４位置から第３位置に向かって付勢する。このため、レンズホルダ１８に外力が作用しない状態では、レンズホルダ１８は、付勢部材３６によって第３位置に保持される。付勢部材３６には、例えば、引きばねを用いることができる。
【００２４】
レンズホルダ１８は、第２部分１２ｂ方向に突出する第１磁石３２ａを備える。第１磁石３２ａは、透明板２６の第２磁石３２ｂと対向する位置に配置されている。第１磁石３２ａの極性は、第２磁石３２ｂの極性と異なる。したがって、第１磁石３２ａと第２磁石３２ｂとの間には吸引力が作用可能となっている。また、レンズホルダ１８の外周面には、外周側に突出する第１ストッパ４０を備える。第１ストッパ４０は、センサホルダ２０の第２ストッパ４２と対向する位置に配置されている。レンズホルダ１８がセンサホルダ２０に対して第３位置から第４位置に向かって移動すると、第１ストッパ４０と第２ストッパ４２が当接し、レンズホルダ１８のさらなる移動が規制される。第１ストッパ４０と第２ストッパ４２が当接する状態では、レンズホルダ１８が第４位置に位置決めされる（図５に示す状態）。
【００２５】
制御装置７０は、受光センサ１６、スイッチ４４、照明部４８及び検知部４６に接続されている。制御装置７０は、スイッチ４４及び検知部４６からの入力信号に基づいて照明部４８を制御すると共に、受光センサ１６から入力される情報コード５０の反射像に基づいて、情報の読取処理を行う。
【００２６】
次に、情報コード読取装置１０の焦点距離を変更して、２つの焦点距離において情報コード５０を読み取るときの情報コード読取装置１０の動作について説明する。図４〜図６は、図１の情報コード読取装置１０の破線部１００を拡大した図である。図４に示す第１状態では、情報コード読取装置１０の読取口２４が、情報コード５０が設けられた読取面５２に押圧されていない。第１状態では、ケース１２の第２部分１２ｂは、結像レンズ１４方向へ押圧されておらず、弾性体３０は圧縮されていない。このため、ケース１２の第２部分１２ｂは第１位置に位置し、弾性体３０の光軸方向の寸法はｋ１（第１部分１２ａの弾性体３０との当接面と、第２部分１２ｂの弾性体３０との当接面との距離）となる。また、第１状態においては、レンズホルダ１８は、付勢部材３６によって、センサホルダ２０に対して第３位置に保持され、第１磁石３２ａと第２磁石３２ｂは吸着した状態とはならない。このため、結像レンズ１４は、受光センサ１６との間の距離がｌ１である近接位置に配置される。このとき、読取口２４から離れた位置にある情報コード５０に対して、結像レンズ１４の焦点が受光センサ１６までの距離ｌ１に一致する。したがって、第１状態でスイッチ４４を操作することで、照明部４８からの光が情報コード５０に照射され、その反射像が受光センサ１６上に結像する。これによって、読取口２４から離れた位置にある情報コード５０の情報を読み取ることができる。
【００２７】
一方、図５に示す第２状態では、情報コード読取装置１０の読取口２４が、情報コード５０が設けられた読取面５２に押圧される。第２状態では、弾性体３０が圧縮されて、ケース１２の第２部分１２ｂは第２位置に位置し、第１部分１２ａの弾性体３０との当接面と、第２部分１２ｂの弾性体３０との当接面との距離がｋ２（＜ｋ１）となっている。また、第２状態においては、第１磁石３２ａと第２磁石３２ｂとが近接し、両磁石の間に作用する磁力によって、第１磁石３２ａと第２磁石３２ｂが吸着している。これによって、レンズホルダ１８は、第１磁石３２ａと第２磁石３２ｂとの間に作用する磁力によって、付勢部材３６の付勢力に抗して、センサホルダ２０に対して第４位置の方向へ移動する。そして、第１ストッパ４０と第２ストッパ４２とが当接することで、レンズホルダ１８は第４位置に位置決めされる。このため、結像レンズ１４は、受光センサ１６との間の距離がｌ２（＞ｌ１）である離間位置に配置される。結像レンズ１４の光軸方向の変位により、近距離にある情報コード５０に対して、結像レンズ１４の焦点が受光センサ１６の受光面に合い、受光センサ１６上に情報コード５０の反射像を結像させることができる。したがって、第２状態でスイッチ４４を操作することで、照明部４８からの光が情報コード５０に照射され、その反射像が受光センサ１６上に結像する。この際、レンズホルダ１８が第４位置に位置決めされたことを検知部４６が検知するため、制御装置７０は照明部４８から照射される光の発光量を増加させる。このため、読取口２４が読取面５２に押圧された状態でも、充分な光を情報コード５０に照射することができる。これによって、読取口２４に接する情報コード５０の情報を読み取ることができる。
【００２８】
なお、第２状態での情報コード５０の読み取りが終了すると、ユーザはケース１２を移動させて、読取口２４を読取面５２から離間させる。すると、読取口２４を結像レンズ１４方向へ押圧する力が除去され、弾性体３０の復元力により、第２部分１２ｂは、第２位置から第１位置へ移動する。このとき、第１磁石３２ａと第２磁石３２ｂとの間に吸引力は作用するが、第１ストッパ４０と第２ストッパ４２とが当接しているため、レンズホルダ１８は第４位置より第２部分１２ｂ側に移動することができない。このため、第２部分１２ｂが第１位置へ移動すると、第１磁石３２ａと第２磁石３２ｂとの吸着が解ける。そして、付勢部材３６の付勢力によって、レンズホルダ１８は第３位置に戻る。したがって、情報コード読取装置１０は第１状態に復帰し、結像レンズ１４は離間位置から近接位置へ戻ることができる。
【００２９】
以上、本実施例の情報コード読取装置１０について説明した。本実施例では、レンズホルダ１８が、センサホルダ２０に対して移動可能に取付けられており、結像レンズ１４と受光センサ１６との間の距離（すなわち、焦点距離）を変更することができる。上述したように、読取口２４に押圧力を加えるか否かで、第１磁石３２ａ、第２磁石３２ｂ及び付勢部材３６によってレンズホルダ１８の位置が変わるため、簡易な構成で焦点距離を変更することができる。また、従来の構成と比べて、読取向きが制限されることがなく、ユーザの利便性の向上を図ることが可能となる。
【００３０】
また、本実施例では、レンズホルダ１８の位置を検知して、照明部４８が照射する光の発光量を変化させる。第２状態においては、読取口２４が情報コード５０に押し当てられるため、読取対象である情報コード５０は、第２部分１２ｂの影となり、ケース１２外からの光が照射されない。その結果、第１状態における照明部４８の発光量と同一の発光量では、情報コード５０を読み取ることができない虞がある。しかし、本実施例では、第２状態においては、第１状態よりも照明部４８が照射する光の発光量が増加するため、情報コード５０の読み取りに十分な光源を確保することができる。
【実施例２】
【００３１】
次に、実施例２について、図７及び図８を参照して説明する。以下では、実施例１と相違する点についてのみ説明し、実施例１と同一の構成についてはその詳細な説明を省略する。図７及び図８の破線部２００は、実施例１の破線部１００に相当する。レンズホルダ８０の受光センサ１６側の端部には突出部８２が設けられている。突出部８２は、レンズホルダ８０の外周面から外側に突出している。突出部８２と、センサホルダ２０の第２部分１２ｂ側の端部との間には、付勢部材８４が配設されている。付勢部材８４は、レンズホルダ８０を第３位置に向かって付勢している。付勢部材８４には、例えば、押しばねを用いることができる。
【００３２】
図７に示す第１状態においては、弾性体３０は圧縮されておらず、第２部分１２ｂは第１位置に位置する。また、第１状態においては、レンズホルダ８０は、付勢部材８４によって、センサホルダ２０に対して第３位置に保持されている。このため、結像レンズ１４は近接位置に配置され、読取口２４から離れた位置にある情報コード５０に対して、結像レンズ１４の焦点が受光センサ１６の受光面に合い、受光センサ１６上に情報コード５０の反射像を結像させることができる。
【００３３】
一方、図８に示す第２状態においては、弾性体３０が圧縮されて、第２部分１２ｂは第２位置に位置する。また、第２状態においては、第１磁石３２ａと第２磁石３２ｂとが近接し、第１磁石３２ａと第２磁石３２ｂは吸着する。これによって、レンズホルダ８０は、第１磁石３２ａと第２磁石３２ｂとの間に作用する磁力によって、付勢部材８４の付勢力に抗して、センサホルダ２０に対して第３位置から第４位置へ移動する。このため、結像レンズ１４が離間位置に配置され、読取口２４に位置する情報コード５０に対して、結像レンズ１４の焦点が受光センサ１６の受光面に合い、受光センサ１６上に情報コード５０の反射像を結像させることができる。
【００３４】
なお、第２状態から、読取口２４を結像レンズ１４方向へ押圧する力を除去すると、弾性体３０の復元力により、第２部分１２ｂは、第２位置から第１位置へ移動する。実施例２の情報コード読取装置では、第１磁石３２ａ及び第２磁石３２ｂの磁力と、付勢部材８４の付勢力（例えば、ばね定数）が調整されているため、第２部分１２ｂが第１位置へ移動すると、第１磁石３２ａと第２磁石３２ｂとの吸着が解ける。そして、付勢部材８４の付勢力によってレンズホルダ８０は第３位置に戻り、結像レンズ１４は離間位置から近接位置へ戻ることができる。この構成によっても、実施例１の情報コード読取装置と同様の作用効果を奏する。
【００３５】
以上、本明細書が開示する技術の実施例について詳細に説明したが、これらは例示に過ぎず、本明細書が開示する蓄電装置は、上記の実施例を様々に変形、変更したものが含まれる。
【００３６】
例えば、実施例１において、読取口２４は、結像レンズ１４と受光センサ１６とを結ぶ光軸方向に垂直な面に対して傾斜していなくてもよい。
【００３７】
また、実施例１において、レンズホルダ１８をセンサホルダ２０に対して移動させる移動機構は、圧電効果を利用した圧電センサと、圧電センサの検知結果に基づいてレンズホルダ１８を駆動するアクチュエータにより構成してもよい。すなわち、圧電センサは、読取口２４が情報コード５０に押し当てられたことを検知する。読取口２４が情報コード５０に押し当てられたことを圧電センサが検知すると、制御装置７０はアクチュエータを駆動して、レンズホルダ１８を第４位置へ移動させる。このような構成によっても、実施例１の情報コード読取装置１０と同様の作用効果を奏する。
【００３８】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。
【符号の説明】
【００３９】
１０：情報コード読取装置
１２：ケース
１２ａ：第１部分
１２ｂ：第２部分
１４：結像レンズ
１６：受光センサ
１８：レンズホルダ
２０：センサホルダ
２４：読取口
２６：透明板
３０：弾性体
３２ａ：第１磁石
３２ｂ：第２磁石
３６：付勢部材
４０：第１ストッパ
４２：第２ストッパ
４４：スイッチ
４６：検知部
４８：照明部
５０：情報コード
５２：読取面
７０：制御装置
【図１】
2016177646.tif 000003
【図２】
2016177646.tif 000004
【図３】
2016177646.tif 000005
【図４】
2016177646.tif 000006
【図５】
2016177646.tif 000007
【図６】
2016177646.tif 000008
【図７】
2016177646.tif 000009
【図８】
2016177646.tif 000010